(57)【特許請求の範囲】
【請求項１】
容器に収納されたウェットティッシュの上位ウェットティッシュと下位ウェットティッシュとが左右対称となるように互いに折り畳まれて、上記上位ウェットティッシュを引き出すことにより摩擦係合する上記下位ウェットティッシュが連続して取り出されるように積層されたウェットティッシュの連続取出し構造において、
上記ウェットティッシュは、所望とする積層体の幅寸法と略同じ長さの幅に形成された第１の中間片と、
上記ウェットティッシュの一辺と平行な第１の折れ線で積層方向下側に折られ、上記第１の中間片の略１／２の幅に、上記第１の中間片と隣接して形成された第２の中間片と、
上記第２の中間片から上記第１の折れ線と平行な第２の折れ線で積層方向下側に折り返され上記第２の中間片と略同じ幅に形成された第１の折片と、
上記第２の中間片と対向する位置において、上記第１の中間片から上記第１の折れ線と平行な第３の折れ線で積層方向下側に折り返された所定の幅寸法の第２の折片とを有し、
上記上位ウェットティッシュの上記第１の中間片と上記第２の中間片とが、次に連続する上記下位ウェットティッシュの上記第１の中間片と上記第２の折片とを形成する第３の折れ線を挟持して積層され、且つ、
上記第２の折片の幅は、上記第２の中間片の幅以下であり、更に、上記下位ウェットティッシュの上記第２の折片の端辺が、上記上位ウェットティッシュの上記第２の中間片上に位置するように積層されており、
上記容器から上記上位ウェットティッシュが取り出されるときに、この上記上位ウェットティッシュの第２の中間片に摩擦係合されて、上記下位ウェットティッシュの上記第２の折片が伸展された状態で誘出される
ことを特徴とするウェットティッシュの連続取出し構造。
【発明の詳細な説明】
【技術分野】
【０００１】
本発明は、ウェットティッシュの連続取出し構造に関し、ウェットティッシュが折り畳まれた状態で、このウェットティッシュを連続して取り出せるように積層したウェットティッシュの連続取出し構造に関する。
【背景技術】
【０００２】
従来、アルコール、保湿剤、界面活性剤等を含む薬液を紙、織布又は不織布の繊維素材に含浸させたウェットティッシュは、気密性や液密性を有する容器に収容される。ウェットティッシュは、皮膚の汚れ拭き取り、化粧落とし、乳幼児のおしりふき、トイレの清掃等、様々な用途に用いられている。この種の容器は、容器の一箇所に開閉蓋を有する取出口が設けられ、この取出口から内部に収容されたウェットティッシュを取り出すことができる。また、このウェットティッシュは、様々な形に折り畳まれ、複数枚が積層され、一のウェットティッシュを持ち上げると、その下に積層されたウェットティッシュも持ち上がり、連続して取り出せるように積層した、いわゆるポップアップ式の積層体を形成している。
【０００３】
図５に示すように、従来のウェットティッシュの連続取出し構造１００は、複数のウェットティッシュ１０１が折り畳まれ、積層されたものである。詳述すると、ウェットティッシュ１０１は、折れ線１０２において折られて形成される上部折片１０３と下部折片１０４と、上部折片１０３と下部折片１０４の各々の遊離端側を折れ線１０２で折られた方向とは逆の方向に折り返して各々上部短巾重畳端１０５と下部短巾重畳端１０６を形成している。また、上述のように折られたウェットティッシュ１０１は、折れ線１０２において折られる方向によって、右向き腰折りウェットティッシュ１０１Ｒと左向き腰折りウェットティッシュ１０１Ｌとに分けられる。ウェットティッシュの積層体１００は、各右向き腰折りウェットティッシュ１０１Ｒの上部短巾重畳端１０５を各左向き腰折りウェットティッシュ１０１Ｌの下部短巾重畳端１０６と相の手に組み、各左向き腰折りウェットティッシュ１０１Ｌの上部短巾重畳端１０５を各右向き腰折りウェットティッシュ１０１Ｒの下部短巾重畳端１０６と相の手に組むことにより形成される。また、ウェットティッシュの積層体１００は、相の手を組んだ上部短巾重畳端１０５及び下部短巾重畳端１０６とが多重腰折りウェットティッシュの左半部側と右半部側とに按分される構成を有している（特許文献１参照。）。
【０００４】
ところで、多用途に用いられるウェットティッシュは、連続して取り出されることの他に、容器から掴み取り出し易いものが望まれている。
【０００５】
近年の衛生環境の下では、風邪やインフルエンザ予防、さらには食中毒予防として、どこでも手軽に手や腕の洗浄ができるという利点を活かして、手洗いの他に、殺菌洗浄成分含有のウェットティッシュの利用が広がっており、子供から高齢者まで利用者は多岐に渡る。その中でも特に、免疫力の弱い子供の利用が近年推奨されており、容器の取出口から子供でも簡単に取り出し易いものが望まれている。また、乳幼児のおしりふき等を目的として、外出先でも手軽に乳幼児を抱きかかえたままでも利用しやすいように設計されているものや、高齢化社会の中で介護の現場において、少しでも介護に伴う介護者の肉体的負担を軽減することができ、被介護者自身にも気持ち良い快感を与えるものが望まれている。その他、化粧落とし成分含有のウェットティッシュで手軽に化粧落としができるものなど、ウェットティッシュの利便性に伴い、さらに容器から取り出す際の取り出し易さ、使い易さが望まれている。
【０００６】
特許文献１に示す取出し構造は、確かに、各腰折りウェットティッシュの上部折片と下部折片の遊離端側を折り返して上部短巾重畳端と下部短巾重畳端を形成し、この両者を相の手に組んで多重ねを行うようにして、各腰折りウェットティッシュ間における相の手組部の寸法をウェットティッシュ長の略五分の一に縮小しているので、下位の腰折りウェットティッシュ全体が友連れされてしまうという問題点を解消し、使いやすさを向上させている。しかし、特許文献１に示す取出し構造は、容器の取出口からのウェットティッシュの誘出長を可及的に短縮する構成となっているため、誘出長が短いが故に、下位のウェットティッシュが容器の取出口に引っ掛かり、連続的に誘出されないことが多くなり、また誘出されたとしてもその誘出長が短いため、取出口から掴み難くなり煩わしさを伴わせ、片手で簡単に取り出すことができなくなる。
【０００７】
このような従来の積層体の連続取出し構造では、誘出長が短いが故に、取出口からウェットティッシュを掴み取り難くなり、子供の使用や、乳幼児を抱きかかえて片手が塞がっている状態での使用等において、とても不便となることがあった。また、誘出長を可及的に短くしているために、下位のウェットティッシュが取出口に引っ掛かり、連続的に取出口から誘出されないことも多くなり、容器内の残余数が少なくなってきたときにはさらに一層、その影響は大きいものとなる。そして、このように誘出されなかったときには、やむを得ず容器を開けて容器内部まで手を入れて掴み取るようにしなければならず、そうすると、洗浄する前の雑菌のついた手を容器の内部まで入れることになるので、容器内部で積層されているウェットティッシュ全体が汚染され不衛生となり、その使用目的である殺菌洗浄の用を満足させないものとなる。一方で、誘出長を長くさせるために、ウェットティッシュ全体を大きいサイズにし、従来からの連続取出し構造を形成させると、必然的にウェットティシュの積層体の幅は従来のものより大きくなってしまい、従来から使用されている容器にウェットティッシュが納まらなくなり、改めて大きい容器を製造しなければならなくなる。
【０００８】
以上のように、従来のようなウェットティッシュの誘出長を可及的に短くする構造では、その簡易、利便性の減弱や不衛生感の増大という種々の問題点を生み出していた。さらに、誘出長を長くするに至っては、ウェットティッシュ全体の拡大を伴い、従来サイズの容器に収容することできず、容器の拡大を余儀なくされていた。
【０００９】
【特許文献１】特許第３８３２７８３号公報
【発明の開示】
【発明が解決しようとする課題】
【００１０】
そこで、本発明は、上述の問題点に鑑みて、従来と変わらない大きさのウェットティッシュでありながら、取出口からの誘出長を長くして、取出口から掴み取り易く、容器内の残余数が少なくなっても確実に取り出し可能で、さらに、使用時にウェットティッシュを広げて使用する手間を省き、衛生的に使用することができるウェットティッシュの連続取出し構造を提供することを目的とする。
【課題を解決するための手段】
【００１１】
本発明に係るウェットティッシュの連続取出し構造は、上記課題を解決するため、容器に収納されたウェットティッシュの上位ウェットティッシュと下位ウェットティッシュとが左右対称となるように互いに折り畳まれて、上記上位ウェットティッシュを引き出すことにより摩擦係合する上記下位ウェットティッシュが連続して取り出されるように積層されたウェットティッシュの連続取出し構造において、上記ウェットティッシュは、所望とする積層体の幅寸法と略同じ長さの幅に形成された第１の中間片と、上記ウェットティッシュの一辺と平行な第１の折れ線で積層方向下側に折られ、上記第１の中間片の略１／２の幅に、上記第１の中間片と隣接して形成された第２の中間片と、上記第２の中間片から上記第１の折れ線と平行な第２の折れ線で積層方向下側に折り返され上記第２の中間片と略同じ幅に形成された第１の折片と、上記第２の中間片と対向する位置において、上記第１の中間片から上記第１の折れ線と平行な第３の折れ線で積層方向下側に折り返された所定の幅寸法の第２の折片とを有し、上記上位ウェットティッシュの上記第１の中間片と上記第２の中間片とが、次に連続する上記下位ウェットティッシュの上記第１の中間片と上記第２の折片とを形成する第３の折れ線を挟持して積層され、且つ、上記第２の折片の幅は、上記第２の中間片の幅以下であり、更に、上記下位ウェットティッシュの上記第２の折片の端辺が、上記上位ウェットティッシュの上記第２の中間片上に位置するように積層されており、上記容器から上記上位ウェットティッシュが取り出されるときに、この上記上位ウェットティッシュの第２の中間片に摩擦係合されて、上記下位ウェットティッシュの上記第２の折片が伸展された状態で誘出されることを特徴としている。
【発明の効果】
【００１２】
本発明によれば、積層方向下側に折り返された第２の折片が設けられており、上位ウェットティッシュの第１の中間片と第２の中間片とが、下位ウェットティッシュの当該第２の折片を形成する折れ線を挟持するように積層しているので、ウェットティッシュの連続取り出しに際し、下位ウェットティッシュの第２の折片が上位ウェットティッシュの第２の中間片と摩擦係合するようになり、このことにより上位ウェットティッシュの取り出しに伴って下位ウェットティッシュが第２の折片を伸展させた状態で誘出するため、容器の取出口からの誘出長を長くすることができ、掴み取り出し易さを向上させるとともに、このように誘出長を長くしても、従来と変わらない大きさの積層体の連続取出し構造を形成することができる。また、下位ウェットティッシュの第２の折片が伸展されて誘出するので、使用時に、ウェットティッシュを広げる手間を省くことができ、手で広げることに伴う不衛生感を排除することができる。
【発明を実施するための最良の形態】
【００１３】
以下、本発明に係るウェットティッシュの連続取出し構造の最良の形態を図面を参照して詳細に説明する。
【００１４】
図１は、本発明に係る折り畳み構造を形成するウェットティッシュ１０の展開図を示す。図１に示すように、ウェットティッシュ１０は、所望とする積層体の幅寸法と略同じ長さの幅に形成された第１の中間片１１と、積層方向下側に折られ、第１の中間片１１の略１／２の幅に第１の中間片１１に隣接して形成された第２の中間片１２と、第２の中間片１２から積層方向下側に折り返され、第２の中間片１２と略同じ幅に形成された第１の折片１３と、第１の中間片１１の第２の中間片１２と対向する側から積層方向下側に折り返され、所定の幅寸法の第２の折片１４とから構成されている。また、図２に示すようにウェットティッシュ１０は折られ、各ウェットティッシュ１０が折り重ねられ、ウェットティッシュの連続取出し構造１を形成している。
【００１５】
なお、説明上、本発明においては、図２に示すｘ軸方向、つまりウェットティッシュ１０の長辺と平行する方向をウェットティッシュ１０の長さ方向、図２に示すｙ軸方向、つまりウェットティッシュ１０の長辺と直交する方向をウェットティッシュ１０の幅方向、図２に示すｚ軸方向、つまり各ウェットティッシュ１０が折り重ねられ形成されるウェットティッシュ１０の積層される方向を各ウェットティッシュ１０が積層される積層方向と称する。
【００１６】
ウェットティッシュ１０は、長辺Ｅ１、Ｅ２及び短辺Ｅ３、Ｅ４とによって形成される略矩形の布帛からなり、例えば、天然繊維又は合成繊維が織布、不織布、編布に形成された布帛を用いる。この中でも汎用性やコスト等から不織布からなる布帛が最も好ましく用いられる。具体的に、天然繊維としては、例えば綿、絹、麻、ウール、パルプなどが挙げられ、合成繊維としては、例えばポリエチレンテレフタレート、ポリエステル、ポリプロピレン、ポリエチレン、アクリル、ナイロン、ビニロン、ポリ塩化ビニル、ポリウレタン、レーヨン等が挙げられる。また、これら天然繊維と合成繊維とを混合させた布帛を用いることができる。本発明においては、合成繊維からなる不織布、特に、合成繊維に高圧ウォータージェット流（繊維を交絡させるための水）を施し、繊維を交絡させて、乾燥状態では使用に耐え得る十分な強度を有するとともに、液体による湿潤状態ではウェブ形状を保持し、極めて容易且つ速やかな吸水性を有するスパンレース不織布が最も好ましく用いられる。また、ウェットティッシュ１０は、図１に示すように、ウェットティッシュ１０の一方の短辺Ｅ３から長さ方向にかけて、第２の折片１４、第１の中間片１１、第２の中間片１２、第１の折片１３が順に設けられている。
【００１７】
第１の中間片１１は、図１に示すように、ウェットティッシュ１０の長さ方向に平行な長辺Ｅ１、Ｅ２と、ウェットティッシュ１０の幅方向に平行な第１の折れ線Ｓ１及び第３の折れ線Ｓ３とによって囲まれる部分である。第１の折れ線Ｓ１は、ウェットティッシュ１０の幅方向と平行な折れ線であり、ウェットティッシュ１０を略５等分して、ウェットティッシュ１０の幅方向の短辺Ｅ３から略５分の３の位置に設定し、また第３の折れ線Ｓ３は、第１の折れ線Ｓ１と平行な折れ線であり、上記同様に略５等分した時の、短辺Ｅ３から略５分の１以下の位置に設定している。ウェットティッシュ１０の長辺Ｅ１、Ｅ２の第１の中間片１１の幅にあたる部分、つまり第１の折れ線Ｓ１と第３の折れ線Ｓ３との距離Ａは、その長さが最終的に形成されるウェットティッシュ１０の積層体の幅の長さと略同一となる長さである。なお、後述するが、第３の折れ線Ｓ３は、第２の折片１４の幅寸法が所望とする幅寸法となるように調整される。そのとき、調整した第３の折れ線Ｓ３の位置が、当初ウェットティッシュ１０を略５等分したときの、短辺Ｅ３から略５分の１以下の位置に設定されたとしても、その他の第１の折れ線Ｓ１や第２の折れ線Ｓ２の位置は変わらない。
【００１８】
なお、説明上、第１の中間片１１、第２の中間片１２、第１の折片１３、第２の折片１４及びウェットティッシュ１０の積層体において、その各片及び積層体の幅とは、折れ線Ｓ１、Ｓ２、Ｓ３と直交する方向の距離をいうものとする。
【００１９】
第２の中間片１２は、第１の中間片１１と隣接し、ウェットティッシュ１０の長さ方向に平行な長辺Ｅ１、Ｅ２と、ウェットティッシュ１０の幅方向に平行な第１の折れ線Ｓ１及び第２の折れ線Ｓ２とによって囲まれる部分である。第２の折れ線Ｓ２は、第１の折れ線Ｓ１と平行な折れ線であり、ウェットティッシュ１０を略５等分した時の、ウェットティッシュ１０の幅方向の短辺Ｅ３から略５分の４の位置に設定している。ウェットティッシュ１０の長辺Ｅ１、Ｅ２の第２の中間片１２の幅にあたる部分、つまり第１の折れ線Ｓ１と第２の折れ線Ｓ２との距離Ｂは、第１の中間片１１の幅の長さである距離Ａの略１／２の長さである。
【００２０】
第１の折片１３は、第２の中間片１２と隣接し、ウェットティッシュ１０の長さ方向に平行な長辺Ｅ１、Ｅ２と、第２の折れ線Ｓ２と、短辺Ｅ４とによって囲まれる部分である。ウェットティッシュ１０の長辺Ｅ１、Ｅ２の第１の折片１３の幅にあたる部分、つまり第２の折れ線Ｓ２と短辺Ｅ４との距離Ｃは、第２の中間片１２の幅の長さである距離Ｂと略同一の長さである。
【００２１】
第２の折片１４は、第２の中間片１２と対向する位置において、第１の中間片１１と隣接し、ウェットティッシュ１０の長さ方向に平行な長辺Ｅ１、Ｅ２と、第３の折れ線Ｓ３と短辺Ｅ３とによって囲まれる部分である。ウェットティッシュ１０の長辺Ｅ１、Ｅ２の第２の折片１４の幅にあたる部分、つまり第３の折れ線Ｓ３と短辺Ｅ３との距離Ｄは、Ｄ≦Ｃの関係を有する。つまり、距離Ｄは、距離Ａの略半分以下の値である。
【００２２】
以上のように構成されるウェットティッシュ１０は、図２及び図３に示すように、各折れ線Ｓ１、Ｓ２、Ｓ３において折り返される。つまり、ウェットティッシュ１０は、第１の折れ線Ｓ１において積層方向とは反対方向（−ｚ方向）に折り返し第１の中間片１１及び第２の中間片１２を形成し、第２の折れ線Ｓ２において積層方向とは反対方向（−ｚ方向）に折り返し第１の折片１３を形成し、第３の折れ線Ｓ３において積層方向とは反対方向（−ｚ方向）に折り返し第２の折片１４を形成する。
【００２３】
次に、ウェットティッシュの連続取出し構造１について、図２及び図３を用いて説明する。
【００２４】
ウェットティッシュの連続取出し構造１は、ウェットティッシュ１０が互いに交差掛けされて構成されている。つまり、ウェットティッシュの連続取出し構造１は、上位ウェットティッシュ１０Ｈと下位ウェットティッシュ１０Ｌとが、互いに左右対称となる位置において交差掛けされて、折り畳まれた構造となっており、上位ウェットティッシュ１０Ｈを引き出すことにより摩擦係合する下位ウェットティッシュ１０Ｌが連続して取り出されるように積層されている。
【００２５】
なお、便宜上、ウェットティッシュ１０を２枚単位で見たときに、互いに交差掛けされたこの２枚のウェットティッシュ１０の内、上位に位置するものを上位ウェットティッシュ１０Ｈとし、下位に位置するものを下位ウェットティッシュ１０Ｌと称する。従って、図３に示すウェットティッシュ１０ａ（以下、１０ａとする。）とウェットティッシュ１０ｂ（以下、１０ｂとする。）の２枚では、上位ウェットティッシュ１０Ｈが１０ａであり、下位ウェットティッシュ１０Ｌが１０ｂとなるが、１０ｂとウェットティッシュ１０ｃ（以下、１０ｃとする。）の２枚では、上位ウェットティッシュ１０Ｈが１０ｂとなり、下位ウェットティッシュ１０Ｌが１０ｃとなる。
【００２６】
具体的には、上位ウェットティッシュ１０Ｈの第１の中間片１１と第２の中間片１２とが、下位のウェットティッシュ１０Ｌの第１の中間片１１と第２の折片１４とを形成する第３の折れ線Ｓ３を挟持するように互いに交差掛けし、下位ウェットティッシュ１０Ｌの第２の折片１４が、上位ウェットティッシュ１０Ｈの第２の中間片１２と接触しており、互いに摩擦係合するように積層しており、以下同様に繰り返して多数枚のウェットティッシュ１０を積層している。
【００２７】
好ましくは、第３の折れ線Ｓ３を調整することによって、第２の折片１４の第３の折れ線Ｓ３と短辺Ｅ３との距離Ｄを、距離Ｂとの関係において、Ｄ＜Ｂとなるようにし、更に、短辺Ｅ３が第２の中間片１２上に位置するように積層する方が良い。つまり、下位ウェットティッシュ１０Ｌの第２の折片１４全体が、上位ウェットティッシュ１０Ｈの第２の中間片１２上に乗るように積層する。このことによって、下位ウェットティッシュ１０Ｌの第２の折片１４の全体と、上位ウェットティッシュ１０Ｈの第２の中間片１２とが摩擦係合するようになるので、下位ウェットティッシュ１０Ｌの第２の折片１４が、上位ウェットティッシュ１０Ｈの第２の中間片１２によって巻き取られるように誘出され、確実に第２の折片１４を伸展させた状態で誘出させることができる。
【００２８】
なお、このウェットティッシュの連続取出し構造１では、下位ウェットティッシュ１０Ｌの第１の中間片１１と第２の折片１４とを形成する第３の折れ線Ｓ３の位置を、上位ウェットティッシュ１０Ｈの第２の中間片１２上における所望とする位置に調整することができる。このことによって、上位ウェットティッシュ１０Ｈの第２の中間片１２と下位ウェットティッシュ１０Ｌの第２の折片１４との重なりを調節することができ、上位ウェットティッシュ１０Ｈの引き出しに伴って、下位ウェットティッシュ１０Ｌが友連れされてしまうことを防止することが可能となる。また、例えば、上位ウェットティッシュ１０Ｈの第２の中間片１２上において、第３の折れ線Ｓ３を上位ウェットティッシュ１０Ｈの第１の折れ線Ｓ１の近傍に位置するように調整した場合、上位ウェットティッシュ１０Ｈの第１の中間片１１と第２の中間片１２との間の大部分に、下位ウェットティッシュ１０Ｌの所定部位が挟み込まれるようになるので、これら上位ウェットティッシュ１０Ｈの第１の中間片１１と第２の中間片１２との接触が少なくなり、接触による薬液の過度の湿潤に基づくべとつきを軽減することができ、ウェットティッシュ１０の第１の中間片１１と第２の中間片１２とが離れ、広がった状態で取り出すことが可能となるので、使用時に、ウェットティッシュを広げる手間を省き、手で広げることに伴う不衛生感をより一層排除することができる。さらに、下位ウェットティッシュ１０Ｌの第３の折れ線Ｓ３を上位ウェットティッシュ１０Ｈの第１の折れ線Ｓ１の近傍に位置するようにしたことにより、ウェットティッシュ１０の積層体の両端部の嵩が低くなることによるウェットティッシュ積層体のバランスの不安定感を防止することができる。
【００２９】
図４（Ａ）乃至（Ｃ）に示すように、上述したような構造で連続して上位ウェットティッシュ１０Ｈと下位ウェットティッシュ１０Ｌを交差掛けすることによって積層させたウェットティッシュ１０は、容器１５に収容されており、その容器１５の天板に設けた取出口１６から上位ウェットティッシュ１０Ｈを掴み取って引き出すごとに、上位ウェットティッシュ１０Ｈの第２の中間片１２と摩擦係合する第２の折片１４を有する下位ウェットティッシュ１０Ｌを取出口１６から誘出させて、連続取出しが行えるようにする。具体的には、特に図４（Ｂ）及び（Ｃ）に示すように、下位ウェットティッシュ１０Ｌの第２の折片１４が、引き出している上位ウェットティッシュ１０Ｈの第２の中間片１２と摩擦係合することによって、下位ウェットティッシュ１０Ｌが連続的に引き出されて誘出されると同時に、第２の折片１４が積層方向下側に折り返されていたことによって、その摩擦係合に際して、折り返されていた第２の折片１４が伸展されながら取出口１６から誘出されるようになっている。
【００３０】
なお、このウェットティッシュ１０の容器１５の天板に設けられた取出口１６にキャップ構造を設け、取出口１６とキャップ構造と間に空間を設けるようにしても良い。このことによって、引き出されたウェットティッシュ１０がすぐには使用に供されないときに、この空間にウェットティッシュ１０を閉じ込め、キャップを閉めた状態にしておくことで、ウェットティッシュ１０の乾燥を防止することが可能となる。
【００３１】
以上のように構成されたウェットティッシュの連続取出し構造１は、そのウェットティッシュ１０に積層方向下側に折り返された第２の折片１４が備えられており、下位ウェットティッシュ１０Ｌの第２の折片１４が上位ウェットティッシュ１０Ｈの第２の中間片１２と接触するように積層されているので、上位ウェットティッシュ１０Ｈを引き出すと、摩擦係合した下位ウェットティッシュ１０Ｌの当該第２の折片１４が伸展された状態で取出口１６から誘出する。その結果、積層方向下側に折り返していた第２の折片１４の長さ分だけ、誘出長が長くなり、ウェットティッシュ１０を使用時に掴み取り出し易くすることができ、また容器１５内のウェットティッシュ１０の残余数が少なくなっても、容器１５内への落ち込みをなくすことができる。さらに、このように積層方向下側に折り返して第２の折片１４を形成しているので、折り返しの幅を調整することによって、所望とする誘出長を調節することができるとともに、従来と変わらない大きさの積層体を形成することができるので、従来から使用されていた容器に収容させることができ、改めて容器の設計変更等を行う必要がなくなる。
【００３２】
さらにまた、上述のように、第２の折片１４が伸展された状態で取出口１６から誘出されることから、従来の連続取出し構造のような、使用時にわざわざ折り畳まれたウェットティッシュを手で広げるという手間を省くことができる。このことにより、素手で広げることに伴う不衛生感を排除することができる。
【００３３】
また、このウェットティッシュの連続取出し構造１では、そのウェットティッシュ１０に積層方向下側に折り返された第１の折片１３が設けられているので、上位ウェットティッシュ１０Ｈと下位ウェットティッシュ１０Ｌとの接着面積が、ウェットティッシュ１０の長辺の長さの略５分の１と小さくなり、上位ウェットティッシュ１０Ｈの引き出しに伴って、下位ウェットティッシュ１０Ｌが友連れされてしまうことを防止することができる。即ち、ウェットティッシュ１０の長辺の長さの略５分の１の長さの幅を持つ上位ウェットティッシュ１０Ｈの第２の中間片１２においてのみ、下位ウェットティッシュ１０Ｌが上位ウェットティッシュ１０Ｈと薬液により接されているので、他の略５分の４には引張力が作用しないことにより、下位ウェットティッシュ１０Ｌが上位ウェットティッシュ１０Ｈの引き出しに伴って友連れされてしまうことを防止できる。
【００３４】
なお、この発明は、上述の実施形態に限られるものではなく、この発明の要旨を逸脱しない範囲の設計変更等があっても本発明に含まれる。例えば、本実施形態においては、図１に示したように、ウェットティッシュ１０を略５等分して、各々所定の位置に折れ線Ｓ１、Ｓ２、Ｓ３を設け、第１の中間片１１、第２の中間片１２、第１の折片１３、第２の折片１４を形成したが、折れ線Ｓ１、Ｓ２、Ｓ３に直交する各片の幅の長さは、ウェットティッシュ１０を５等分したときの長さに限られない。
【図面の簡単な説明】
【００３５】
【図１】本発明のウェットティッシュの連続取出し構造に係るウェットティッシュの展開図である。
【図２】本発明のウェットティッシュの連続取出し構造を説明するための斜視図である。
【図３】本発明のウェットティッシュの連続取出し構造に係るの積層構造を説明するための断面図である。
【図４】容器に収容された本発明のウェットティッシュの連続取出し構造を示す概略断面図であり、（Ａ）がウェットティッシュを容器内に収容した状態を示す図であり、（Ｂ）が上位ウェットティッシュ１０Ｈを取り出した際の、下位ウェットティッシュ１０Ｌと摩擦係合する状態を示す図であり、（Ｃ）が上位ウェットティッシュ１０Ｈを完全に取り出す際の、下位ウェットティッシュ１０Ｌの第２の折片１４が伸展される状態を示す図である。
【図５】従来のウェットティッシュの連続取出し構造を示す概略断面図である。
【符号の説明】
【００３６】
１０ １０ａ １０ｂ １０ｃ １０ｄ ウェットティッシュ、Ｅ１ Ｅ２ 長辺、Ｅ３ Ｅ４ 短辺、１１ 第１の中間片、１２ 第２の中間片、１３ 第１の折片、１４ 第２の折片、Ｓ１ 第１の折れ線、Ｓ２ 第２の折れ線、Ｓ３ 第３の折れ線、１５ 容器、１６ 取出口
【図１】
0005216268.tif 000002
【図２】
0005216268.tif 000003
【図３】
0005216268.tif 000004
【図４】
0005216268.tif 000005
【図５】
0005216268.tif 000006